(57)【要約】【課題】電子ペンによる原本識別エリアに対する記入内容に応じて所定の音声を出力することで、当該原本識別エリアを有する帳票が原本かコピー化を識別することが可能な端末装置、それに用いられるプログラム及び情報処理システムを提供する。【解決手段】利用者は、電子ペン１０Ａにより帳票が有する原本識別エリアへの記入を行う。端末装置２５Ａは、電子ペン１０Ａから記入内容に対応する記入情報を取得した場合、音声データ「正規の帳票です」に基づいて音声出力をする。一方、電子ペン１０Ａから記入情報を取得しない場合、端末装置２５Ａは何らの音声も出力しない。よって、利用者は、端末装置２５Ａから出力される音声に基づいて、帳票が正規の原本であるか、不正にコピーされたものであるかを識別することができる。【選択図】図１
2009193365.tif 000002
【特許請求の範囲】
【請求項１】
電子ペンにより帳票が有する原本識別エリアに記入された情報を処理する端末装置であって、
前記原本識別エリアは、カーボンを含む黒色インキにより前記電子ペンが認識可能なコード化パターンが印刷されるとともに、ＣＭＹのうち少なくともいずれか１つ以上のインキが印刷されており、
音声データに基づいて音声を出力する音声出力部と、
前記帳票が原本であることを報知する音声データを記憶する情報記憶手段と、
前記電子ペンから、前記原本識別エリアへの記入内容に対応する記入情報を取得する記入情報取得手段と、
前記記入情報取得手段により記入情報を取得した場合に、前記情報記憶手段に記憶された音声データに基づく原本識別の音声を前記音声出力部から出力させる音声出力手段と、を備えることを特徴とする端末装置。
【請求項２】
前記記入情報に基づいて、データ開始点及びデータ終了点を特定する開始終了点特定手段と、
前記データ開始点及び前記データ終了点に基づく時間及び／又は距離により、前記原本識別エリアがタップされたか否かを判定するタップ判定手段と、をさらに備え、
前記音声出力手段は、前記タップ判定手段により前記原本識別エリアがタップされたと判定された場合に、前記情報記憶手段に記憶された音声データに基づく原本識別の音声を前記音声出力部から出力させることを特徴とする請求項１に記載の端末装置。
【請求項３】
音声データに基づいて音声を出力する音声出力部を備え、電子ペンにより帳票が有する原本識別エリアに記入された情報を処理するコンピュータにより実行されるプログラムであって、
前記原本識別エリアは、カーボンを含む黒色インキにより前記電子ペンが認識可能なコード化パターンが印刷されるとともに、ＣＭＹのうち少なくともいずれか１つ以上のインキが印刷されており、
前記帳票が原本であることを報知する音声データを記憶する情報記憶手段、
前記電子ペンから、前記原本識別エリアへの記入内容に対応する記入情報を取得する記入情報取得手段、
前記記入情報取得手段により記入情報を取得した場合に、前記情報記憶手段に記憶された音声データに基づく原本識別の音声を前記音声出力部から出力させる音声出力手段、として前記コンピュータを機能させることを特徴とするプログラム。
【請求項４】
通信可能な電子ペンと端末装置を備え、前記電子ペンにより帳票が有する原本識別エリアに記入された情報を処理する情報処理システムであって、
前記原本識別エリアは、カーボンを含む黒色インキにより前記電子ペンが認識可能なコード化パターンが印刷されるとともに、ＣＭＹのうち少なくともいずれか１つ以上のインキが印刷されており、
前記端末装置は、
音声データに基づいて音声を出力する音声出力部と、
前記帳票が原本であることを報知する音声データを記憶する情報記憶手段と、
前記電子ペンから、前記原本識別エリアへの記入内容に対応する記入情報を取得する記入情報取得手段と、
前記記入情報取得手段により記入情報を取得した場合に、前記情報記憶手段に記憶された音声データに基づく原本識別の音声を前記音声出力部から出力させる音声出力手段と、を備えることを特徴とする情報処理システム。
【発明の詳細な説明】
【技術分野】
【０００１】
本発明は、電子ペンを利用した帳票の原本識別技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている（特許文献１参照）。アノトペンは、所定のドットパターンが印刷された専用紙（以下、「専用ペーパー」とも呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像にチェックマークを記入したりすると、ペンの移動に伴って小型カメラが専用紙に印刷されたドットパターンを検出し、利用者が書き込んだ文字、画像などの記入情報が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば、特許文献２）。
【０００３】
【特許文献１】特表２００３−５１１７６１号公報
【特許文献２】特開２００４−１５３６１２号公報
【発明の開示】
【発明が解決しようとする課題】
【０００４】
そこで本発明は、電子ペンによる原本識別エリアへの記入内容に基づいて音声出力をすることで、当該原本識別エリアを有する帳票が原本か、モノクロコピーによるものかを識別する端末装置、それに用いられるプログラム及び情報処理システムを提供することを目的とする。
【課題を解決するための手段】
【０００５】
本発明の１つの観点では、電子ペンにより帳票が有する原本識別エリアに記入された情報を処理する端末装置であって、前記原本識別エリアは、カーボンを含む黒色インキにより前記電子ペンが認識可能なコード化パターンが印刷されるとともに、ＣＭＹのうち少なくともいずれか１つ以上のインキが印刷されており、音声データに基づいて音声を出力する音声出力部と、前記帳票が原本であることを報知する音声データを記憶する情報記憶手段と、前記電子ペンから、前記原本識別エリアへの記入内容に対応する記入情報を取得する記入情報取得手段と、前記記入情報取得手段により記入情報を取得した場合に、前記情報記憶手段に記憶された音声データに基づく原本識別の音声を前記音声出力部から出力させる音声出力手段と、を備えることを特徴とする。
【０００６】
この構成によれば、利用者が電子ペンにより原本識別エリアに記入したり、軽く叩いてタップしたりすると、電子ペンは、原本識別エリアへの記入及びタップに対応する記入情報を端末装置へ送信する。そして端末装置では、記入情報取得手段によって、その記入情報が取得される。記入情報が取得されると、音声出力手段は、情報記憶手段に記憶された音声データに基づく原本識別の音声を出力する。一方、原本識別エリアに印刷されたコード化パターンを読み取ることができない場合、電子ペンは、コード化パターンを認識することができないため記入及びタップに対応する記入情報を端末装置へ送信することができない。よって、端末装置は、記入情報を取得することができず、音声出力手段は、何らの音声も出力しない。
【０００７】
電子ペンによる原本識別エリアは、カーボンを含む黒色インキ（Ｋ）により前記電子ペンが認識可能なコード化パターンが印刷されるとともに、ＣＭＹのうち少なくともいずれか１つ以上のインキが印刷されている。ここで、ＣＭＹとは、色料（インキ）の三原色であって、Ｃ（シアン）、Ｍ（マゼンダ）、Ｙ（イエロー）のことである。このような原本識別エリアは、モノクロコピーされておらず、原本のままであれば、電子ペンによりコード化パターンを読み取ることができる。しかし、モノクロコピーされていると、原本におけるＣＭＹの印刷部分に対応する部分がカーボンを含む黒色インキ（Ｋ）によって印刷されるため、電子ペンは、原本識別エリア上のどの点が座標データを保持するのか分からなくなり、正しいコード化パターンを読み取ることができなくなる。
【０００８】
これによれば、利用者は、電子ペンを使用して原本識別エリアにタップを含む記入を行うことで、音声により容易に、当該原本識別エリアを有する帳票が正規の原本であるか、不正にモノクロコピーされたものであるかを識別することができる。
【０００９】
さらに、上記端末装置において、前記記入情報に基づいて、データ開始点及びデータ終了点を特定する開始終了点特定手段と、前記データ開始点及び前記データ終了点に基づく時間及び／又は距離により、前記原本識別エリアがタップされたか否かを判定するタップ判定手段と、をさらに備え、前記音声出力手段は、前記タップ判定手段により前記原本識別エリアがタップされたと判定された場合に、前記情報記憶手段に記憶された音声データに基づく原本識別の音声を前記音声出力部から出力させることを特徴とする。
【００１０】
このように構成された端末装置によれば、開始終了点特定手段が記入情報に基づき、データ開始点及びデータ終了点を特定する。そして、タップ判定手段は、データ開始点及びデータ終了点に基づく時間及び／又は距離により、原本識別エリアがタップされたか否かを判定する。このように、タップ判定手段は、データ開始点及びデータ終了点に基づく時間及び／又は距離により、利用者が記入したストロークがタップであるか否かを判定し、原本であるかモノクロコピーされたものであるかを識別するための原本識別エリアへのタップを、誤記入と区別することができる。
【００１１】
本発明に係るプログラムは、音声データに基づいて音声を出力する音声出力部を備え、電子ペンにより帳票が有する原本識別エリアに記入された情報を処理するコンピュータにより実行されるプログラムであって、前記原本識別エリアは、カーボンを含む黒色インキにより前記電子ペンが認識可能なコード化パターンが印刷されるとともに、ＣＭＹのうち少なくともいずれか１つ以上のインキが印刷されており、前記帳票が原本であることを報知する音声データを記憶する情報記憶手段、前記電子ペンから、前記原本識別エリアへの記入内容に対応する記入情報を取得する記入情報取得手段、前記記入情報取得手段により記入情報を取得した場合に、前記情報記憶手段に記憶された音声データに基づく原本識別の音声を前記音声出力部から出力させる音声出力手段、として前記コンピュータを機能させることを特徴とする。
【００１２】
上記プログラムをコンピュータにより実行することで、上述の端末装置を実現することができる。
【００１３】
また、本発明に係る情報処理システムによれば、利用者が電子ペンにより原本識別エリアに記入したり、軽く叩いてタップしたりすると、電子ペンは、原本識別エリアへの記入及びタップに対応する記入情報を端末装置へ送信する。そして端末装置では、記入情報取得手段によって、その記入情報が取得される。記入情報が取得されると、音声出力手段は、情報記憶手段に記憶された音声データに基づく原本識別の音声を出力する。一方、原本識別エリアに印刷されたコード化パターンを読み取ることができない場合、電子ペンは、コード化パターンを認識することができないため記入及びタップに対応する記入情報を端末装置へ送信することができない。よって、端末装置は、記入情報を取得することができず、音声出力手段は、何らの音声も出力しない。これによれば、利用者は、電子ペンを使用して原本識別エリアにタップを含む記入を行うことで、音声により容易に、当該原本識別エリアを有する帳票が正規の原本であるか、不正にモノクロコピーされたものであるかを識別することができる。
【発明の効果】
【００１４】
本発明に係る端末装置、それに用いられるプログラム及び情報処理システムによれば、電子ペンの原本識別エリアに対する記入内容に基づいて音声出力をすることで、当該原本識別エリアを有する帳票が原本かモノクロコピーされたものかを識別することが可能となる。
【発明を実施するための最良の形態】
【００１５】
以下、図面を参照して本発明の好適な実施の形態について説明する。
【００１６】
＜第１実施形態＞
本実施形態の情報処理システムは、図１及び図２に示すように、電子ペン１０Ａと、帳票３０と、端末装置２５Ａとから構成される。ここで、図１は電子ペン１０Ａの使用形態を模式的に示す図であり、図２は電子ペン１０Ａの構成を示すブロック図である。帳票３０は、原本識別エリア（ドットパターンエリア）５１が印刷されている。電子ペン１０Ａは、通常のインクペンと同様のペン先部１７を備えており、利用者が通常のインクペンと同様にペン先部１７によって原本識別エリア５１上に文字などを書くと、電子ペン１０Ａは、ペン先部１７の移動軌跡に沿って、原本識別エリア５１に印刷されたドットパターンを局所的、連続的に読み取り、原本識別エリア５１におけるその局所位置の座標を算出し、その座標データ等を端末装置２５Ａへ送信する。電子ペン１０Ａは、端末装置２５Ａへ確実にデータを送信できるよう、端末装置２５Ａの近傍で使用される。端末装置２５Ａは、受信した座標データ等に基づいて、記入文字を文字認識したり、タップに応じた処理を行ったりする等、所定の処理を実行する。以下、各構成について詳細に説明する。
【００１７】
[原本識別エリア]
まず、原本識別エリア５１について図５を参照して説明する。図５（ａ）は、原本識別エリア５１の前面構造図及びその拡大図である。図示のように、原本識別エリア５１には、電子ペン１０Ａが認識可能なドットパターン９１Ｋと、網点状のＣＭＹインキ９１Ｃ、９１Ｍ及び９１Ｙとが印刷されている。つまり、原本識別エリア５１は、電子ペン１０Ａで読み取れるように赤外線を吸収するカーボンを含む黒色インキ（Ｋ）でドットパターンが印刷され、さらにＣＭＹのうち少なくともいずれか１つ以上のインキが一様にドット状に印刷されることにより形成される。ＣＭＹとは、色料（インキ）の三原色であって、それぞれＣ（シアン）、Ｍ（マゼンダ）、Ｙ（イエロー）のことである。なお、原本識別エリア５１の９１Ｋ、９１Ｃ、９１Ｍ、９１Ｙは、遠目では黒ベタ（に見えるように、Ｃ、Ｍ、Ｙの割合を均等に印刷するのが望ましい。
【００１８】
図５（ｂ）及び（ｃ）は、原本識別エリア５１の断面構造である。図示のように、原本識別エリア５１は、原本の帳票３０となるベース材料９０の上に、赤外線を吸収するカーボンを含む黒色インキによるドットパターンが印刷されたドットパターン層９１と、ＣＭＹのうち少なくともいずれか１つ以上のインキが一様にドット状に印刷されたＣＭＹインキ層９２とから構成されている。なお、図５（ｂ）及び（ｃ）は、便宜上階層構造していしているが、実際の原本識別エリア５１は、上述のように電子ペンが認識可能な黒色インキと、ＣＭＹのうち少なくともいずれか１つ以上によるインキとがベース材料９０の上に重ねて印刷されている。
【００１９】
ベース材料とは例えば紙である。具体的に、図５（ｂ）に示すような場合、原本識別エリア５１には、ベース材料９０の上にドットパターン層９１が設けられ、ドットパターン層９１の上にＣＭＹインキ層９２が設けられている。即ち、図５（ｂ）に示す原本識別エリア５１は、ベース材料９０にまず赤外線を吸収するカーボンを含む黒色インキが印刷され、その上からＣＭＹのうち少なくともいずれか１つ以上のインキが一様にドット状に印刷されている。一方、図５（ｃ）に示すような場合、原本識別エリア５１には、ベース材料９０の上にＣＭＹインキ層が設けられ、ＣＭＹインキ層９２の上にドットパターン層９１が設けられている。即ち、図５（ｃ）に示す原本識別エリア５１は、ベース材料９０にまずＣＭＹのうち少なくとも１つ以上のインキが一様にドット状に印刷され、その上から赤外線を吸収するカーボンを含む黒色インキが印刷されている。
【００２０】
電子ペン１０Ａは、赤外線を吸収するカーボンを含む黒色インキで印刷されたドットパターンを認識することができる。図５（ｂ）及び（ｃ）に示すような原本識別エリア５１は、モノクロコピーすると、図示のように原本識別エリア５２となり、電子ペン１０Ａがドットパターンを認識することができなくなってしまう。具体的には、原本のＣＭＹインキ層における印刷部分に対応する部分が、モノクロコピーでは、カーボンを含む黒色インキ（Ｋ）によって印刷されるため、電子ペン１０Ａは、原本識別エリア５２上のどの点が座標情報を保持するドットパターンなのか分からなくなってしまい、原本識別エリア５２に印刷されたドットパターンを認識することができなくなる。
【００２１】
[ドットパターン]
続いて、ドットパターンについて説明する。図３は、原本識別エリア５１に印刷されたドットパターンのドットとそのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトされているかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、原本識別エリア５１上の位置座標が決定されるよう構成されている。
【００２２】
図４（ａ）は、あるドットパターンの配列を示している。図４（ａ）に示すように、縦横約２mmの範囲内に６×６個のドットが、原本識別エリア５１に印刷されたドットパターン上のどの部分から６×６ドットを取ってもユニークなパターンとなるように配置されている。これら３６個のドットにより形成されるドットパターンは位置座標（例えば、そのドットパターンがその原本識別エリア５１上のどの位置にあるのか）と各原本識別エリア５１に印刷されたドットパターン毎に固有の識別子であるドットパターンアドレス（コード化パターンアドレス）を保持している。図４（ｂ）は、図４（ａ）に示す各ドットを、格子の基準位置からのシフト方向によって、図３に示す規則性に基づいて対応づけられた値に変換したものである。この変換は、ドットパターンの画像を撮影する電子ペン１０Ａによって行われる。
【００２３】
[帳票]
続いて、原本識別エリア５１を有する帳票３０について説明する。帳票３０は、原本識別エリア５１を有しており、さらに罫線や記入枠などの図案や項目、文言、イラスト等が印刷されたものである。図案等は、カーボンを含まないインキにより印刷される。
【００２４】
図６に、図案等が印刷された帳票３０の例を示す。便宜上、正規の原本である帳票を帳票３０ａ、不正なコピーである帳票を帳票３０ｂと呼ぶ。図６（ａ）に示す例は、機密文書の原本の例であって、電子ペン１０Ａにより記入される原本識別エリア５１と、通常のペンにより氏名や住所が記入される記入エリア５３とを有している。このような帳票３０ａは、レーザープリンタ又は印刷機によって印刷される。
【００２５】
なお、上述のとおり原本識別エリア５１に印刷されたドットパターンは、モノクロコピーすると、図６（ｂ）に示すように、電子ペン１０Ａが認識不能なドットパターンとなってしまう。具体的に、原本識別エリア５１に印刷されたドットパターン（Ｋ）と網点状のドット（Ｃ,Ｍ,Ｙ）が、モノクロコピーすると（Ｋ），（Ｋ，Ｋ，Ｋ）となってしまうため、電子ペン１０Ａは、どの点が座標情報を保持するドットパターンであるかわからなくなってしまい、認識することができなくなってしまう。つまり、図６（ａ）に示すような原本の帳票３０ａをコピーすると、図６（ｂ）に示すように、電子ペン１０Ａが認識不可能なドットパターンとなった原本識別エリア５２を有する帳票３０ｂとなる。電子ペン１０Ａは、原本の帳票３０ａが有する原本識別エリア５１に印刷されたドットパターンを認識することはできるが、原本をモノクロコピーした帳票３０ｂが有する原本識別エリア５２に印刷されたドットパターンを認識することはできない。
【００２６】
本実施形態において端末装置２５Ａは、電子ペン１０Ａがドットパターンを認識した場合に、正規の帳票である旨のメッセージや帳票が原本である旨のメッセージ（例えば、「正規の帳票です」、「原本です」等）を音声出力する。つまり、図６（ａ）に示すような原本の帳票３０ａが有する原本識別エリア５１に記入した場合、電子ペン１０Ａがドットパターンを認識できるため、端末装置２５Ａは正規の帳票である旨のメッセージを音声出力する。一方、図６（ｂ）に示すようなコピーした帳票３０ｂが有する原本識別エリア５２に記入した場合、ドットパターンが電子ペン１０Ａにより認識できないため、電子ペン１０Ａは記入情報を端末装置２５Ａに送信することはない。即ち、端末装置２５Ａは、原本の帳票３０ａの場合は電子ペン１０Ａから記入情報を取得して正規の帳票である旨のメッセージを出力するが、コピーした帳票３０ｂの場合は電子ペン１０Ａから何らの情報も取得せず何の音声も出力しない。よって、利用者は、電子ペン１０Ａを使用して帳票３０上に設けられた原本識別エリア５１又は５２に記入を行うことで、端末装置２５Ａから出力される音声に基づいて容易に当該帳票がコピーされているか否かを判別することができる。
【００２７】
なお、電子ペン１０Ａが原本識別エリア５１又は５２に記入する内容は、所定の文字、記号、チェックマーク等任意である。また、本実施形態において、「記入」とは原本識別エリア５１又は５２を電子ペン１０Ａでつつく「タップ」を含む概念とする。
【００２８】
このように、本実施形態によれば、電子ペン１０Ａと、原本識別エリア５１又は５２を有する帳票３０と、端末装置２５Ａとを利用して、原本識別を行うことができる。
【００２９】
[電子ペン]
次に電子ペン１０Ａについて説明する。図２に示すように、電子ペン１０Ａは、その内部にプロセッサ１１、データ通信ユニット１３、バッテリー１４、ＬＥＤ１５、カメラ１６、圧力センサ１８及びクロック２２を備える。また、電子ペン１０Ａは通常のインクペンと同様の構成要素としてインクカートリッジ（図示せず）などを有する。
【００３０】
バッテリー１４は電子ペン１０Ａ内の各部品に電力を供給するためのものであり、例えば電子ペン１０Ａのキャップ（図示せず）の脱着により電子ペン１０Ａ自体の電源のオン／オフを行うよう構成させてもよい。クロック２２は、現在時刻（タイムスタンプ）を発信し、プロセッサ１１に供給する。圧力センサ１８は、利用者が電子ペン１０Ａにより薬品記録帳２６（専用ペーパー２０）上に文字などを書く際にペン先部１７に与えられる圧力、即ち筆圧を検出し、プロセッサ１１へ供給する。
【００３１】
プロセッサ１１は、圧力センサ１８から与えられる筆圧データに基づいて、ＬＥＤ１５及びカメラ１６のスイッチオン／オフの切換を行う。即ち、利用者が電子ペン１０Ａで原本識別エリア５１又は５２上に文字などを書くと、ペン先部１７には筆圧がかかり、圧力センサ１８によって所定値以上の筆圧が検出されたときに、プロセッサ１１は、利用者が原本識別エリア５１又は５２への記入を開始したと判定して、ＬＥＤ１５及びカメラ１６を作動させる。
【００３２】
ＬＥＤ１５は、電子ペン１０Ａのペン先付近に取り付けられており、原本識別エリア５１又は５２上のペン先部１７近傍（領域１５ａ）に向けて、赤外線を照明する（図１参照）。領域１５ａは、ペン先部１７が薬品記録帳２６に接触する位置とはわずかにずれている。カメラ１６は、ＬＥＤ１５によって照明された領域１５ａ内におけるドットパターンを撮影し、そのドットパターンの画像データをプロセッサ１１に供給する。ここで、カーボンは赤外線を吸収するため、ＬＥＤ１５によって照射された赤外線は、ドットの部分でドットに含まれるカーボンによって吸収される。そのため、ドットの部分は、赤外線の反射量が少なく、ドット以外の部分は赤外線の反射量が多い。したがって、カメラ１６の撮影により、赤外線の反射量の違いから、カーボンを含むドットの領域とそれ以外の領域を区別することができる。たとえ撮影領域に罫線や枠などが印刷されてあったとしても、罫線や枠などのインクには、カーボンが含まれていないため、ドットパターンを認識することができる。なお、カメラ１６による撮影領域は、図４（ａ）に示すような約２mm×約２mmの大きさを含む範囲であり、カメラ１６の撮影は、毎秒５０〜１００回程度行われる。
【００３３】
プロセッサ１１は、利用者による原本識別エリア５１への記入が行われる間、カメラ１６によって供給される画像データのドットパターンから、利用者による記入に対応するストロークの原本識別エリア５１に印刷されたドットパターン上でのＸ，Ｙ座標（単に「座標データ」とも呼ぶ）を連続的に算出していく。すなわち、プロセッサ１１は、カメラ１６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ，Ｙ座標データを算出するとともに、各原本識別エリア５１に印刷されたドットパターン毎に固有の識別子であるドットパターンアドレス（コード化パターンアドレス）を算出する。そしてプロセッサ１１は、現在時刻（タイムスタンプ）を発信するクロック２２から時間情報を取得し、その時間情報と、筆圧データ、ドットパターンアドレス及びＸ，Ｙ座標データとを関連付け、これらの情報を記入情報として、データ通信ユニット１３に対して、端末装置２５Ａへ送信させる。
【００３４】
データ通信ユニット１３は、プロセッサ１１により供給されるメモリ１２内の所定のデータを近傍にある端末装置２５Ａへ無線送信する。データ通信ユニット１３による送信は、Bluetooth（登録商標）の無線送信によると好適である。なお、ＵＳＢケーブルを使用した有線送信、端子などの接触によるデータ送信など、他の方法によって、データ通信ユニット１３から端末装置２５Ａへデータ送信を行ってもよい。データ通信ユニット１３による端末装置２５Ａへの記入情報の送信は、即時的且つ逐次的に行われる。
【００３５】
[端末装置]
次に、端末装置２５Ａについて図７を参照して説明する。端末装置２５Ａは、ハードウェアとして、電子ペン１０Ａとのデータ通信が可能なアンテナ装置、ＣＰＵ等のプロセッサ、ＲＯＭやＲＡＭといったメモリ、スピーカ、ディスプレイ等で構成される、ＰＣや携帯電話、或いは携帯端末である。図７は、端末装置２５Ａの機能ブロック図である。端末装置２５Ａは、電子ペン１０Ａから取得したＸ，Ｙ座標データ等の記入情報に基づいて、専用アプリケーションを実行することで所定の処理を行う。
【００３６】
図７に示すように、端末装置２５Ａは、機能的には、情報記憶手段４０、記入情報取得手段４１、開始終了点特定手段４２、タップ判定手段４３及び音声出力手段４４を備える。情報記憶手段４０は、物理的には、ＲＯＭやＲＡＭといったメモリによって構成され、記入情報取得手段４１は、データ通信ユニット、プロセッサ等によって構成され、音声出力手段４４は、スピーカ、プロセッサ等で構成される。また、開始終了点特定手段４２及びタップ判定手段４３は、ＣＰＵ等のプロセッサに組み込まれている。
【００３７】
情報記憶手段４０は、記入情報取得手段４１によって取得された記入情報を時系列的に記憶する。また、音声出力手段４４により出力される音声データを記憶する。
【００３８】
記入情報取得手段４１は、電子ペン１０Ａのデータ通信ユニット１３によって送信される原本識別エリア５１への記入内容に対応する記入情報を即時的且つ逐次的に取得する手段であり、Bluetooth（登録商標）による通信方式の電波を受信するアンテナ等により構成される。記入情報には、タップ、文字、記号、絵柄等を記入する際に取得する情報が含まれる。特に、タップにより取得される記入情報をタップ情報と呼ぶ。また、タップ情報に含まれる時間情報をタップ時刻と呼ぶ。
【００３９】
開始終了点特定手段４２は、記入情報取得手段４１が取得した記入情報に含まれるストロークのデータ開始点及びデータ終了点を特定してタップ判定手段４３へ伝達する。具体的に、開始終了点特定手段４２は、データ開始点及びデータ終了点それぞれの位置座標を示す座標データと記入時刻とを特定する。タップ判定手段４３は、開始終了点特定手段４２によって特定されたデータ開始点及びデータ終了点における時間及び／又は両点間の移動距離に基づいて、利用者により原本識別エリア５１に記入されたストロークがタップであるか否かを判定する。
【００４０】
具体的に、利用者により原本識別エリア５１に記入されたストロークがタップであるか否かを判定するにあたっては３つの方法が挙げられる。第１の方法として、タップ判定手段４３は、データ終了点の記入時刻とデータ開始点の記入時刻の差分を算出し、当該差分が予め設定された所定時間（例えば、０．２秒）未満である場合にストロークがタップであると判定する。別の第２の方法として、タップ判定手段４３は、座標データに基づいてデータ開始点とデータ終了点との間の移動距離（筆記された線の長さ）を算出し、当該移動距離が予め設定された所定距離未満である場合にストロークがタップであると判定するようにしてもよい。あるいは第３の方法として、データ開始点とデータ終了点における時間及び移動距離の両方に条件を付けて、ストロークがタップであるか否かを判定するようにしてもよい。
【００４１】
音声出力手段４４は、タップ判定手段４３が利用者により原本識別エリア５１に記入されたストロークがタップであると判定した場合に、情報記憶手段４０に記憶された「正規の帳票です」という音声データを再生出力させる。
【００４２】
端末装置２５Ａは、専用アプリケーションがインストールされることにより、上述の各手段が構成される。
【００４３】
なお、上記の例では、利用者は帳票３０が原本であるかコピーされたものであるかを判定するために、電子ペン１０Ａにより帳票３０が有する原本識別エリア５１又は５２をタップすることとしている。これによれば、記入エリア５３へ記入する際に誤って原本識別エリア５１又は５２にはみ出して記入したような誤記入に基づいて音声を出力してしまうことを防止できる。
【００４４】
しかし、本発明はこれに限定されるものではなく、利用者は電子ペン１０Ａにより原本識別エリア５１又は５２にタップを含む何らかの記入を行うこととしてもよい。この場合、端末装置２５Ａは、電子ペン１０Ａから取得した記入情報に基づいて原本識別エリア５１に記入されたストロークがタップであるか否かを判定する必要がないため、機能的には、情報記憶手段４０、記入情報取得手段４１、音声出力手段４４及びデータ通信手段６５を備える。音声出力手段４４は、記入情報取得手段４１が原本識別エリア５１への記入内容に対応する記入情報を取得した場合に、情報記憶手段４０に記憶された「正規の帳票です」という音声データを再生出力させる。原本識別エリア５２に印刷されたドットパターンは認識できないため、記入情報取得手段４１は、原本識別エリア５２への記入内容に対応する記入情報は取得することができない。即ち、記入情報取得手段４１が記入情報を取得したということは、認識可能なドットパターンが印刷された原本識別エリア５１への記入ということであって、原本の帳票３０ａであることを証明できる。
【００４５】
[専用アプリケーション]
次に、専用アプリケーション５０について図８を参照して説明する。図８は、専用アプリケーション５０のモジュール構成を示す。専用アプリケーション５０は、電子ペン１０Ａが原本識別エリア５１に記入した内容に対応するデジタルデータである記入情報に基づいて所定の処理を実行するものであって、ダウンロード等により予め端末装置２５Ａにインストールされている。専用アプリケーション５０は、原則として原本識別エリア５１に対応付けられている。つまり、原本識別エリア５１の種類が異なれば、その種類に応じて各原本識別エリア５１に記入されたデータを処理する専用アプリケーションは異なる。しかし、原本識別エリア５１と専用アプリケーションの対応は必ずしも１対１である必要はなく、複数種類の原本識別エリア５１に１つの専用アプリケーション５０を対応付けてデータを処理させてもよい。また、１種類の原本識別エリア５１に複数の専用アプリケーションを対応付けてデータを処理させてもよい。
【００４６】
図８に示すように、専用アプリケーション５０は、情報記憶モジュール１０１、記入情報取得モジュール１０２、開始終了点特定モジュール１０３、タップ判定モジュール１０４及び音声出力モジュール１０５を有する。
【００４７】
情報記憶モジュール１０１は、情報記憶手段４０に対して「正規の帳票です」という音声データを記憶させる機能を有するほか、情報記憶手段４０に対して記入情報取得モジュール１０２が取得した記入情報を記憶させる機能を有し、端末装置２５Ａに記入情報記憶手段４０を構成させるモジュールである。
【００４８】
記入情報取得モジュール１０２は、利用者による原本識別エリア５１への電子ペン１０Ａを用いた記入が行われている間、電子ペン１０Ａから送信される記入情報（タップ情報を含む）を連続的に取得し続け、開始終了点特定手段４２に伝達するほか、情報記憶手段４０に記憶させる機能を有し、端末装置２５Ａに記入情報取得手段４１を構成させるモジュールである。
【００４９】
開始終了点特定モジュール１０３は、記入情報取得モジュール１０２の実行によって取得された記入情報に含まれるストロークのデータ開始点及びデータ終了点それぞれの座標データ及び記入時刻とを特定してタップ判定手段４３へ伝達する機能を有し、端末装置２５Ａに開始終了点特定手段４２を構成させるモジュールである。
【００５０】
タップ判定モジュール１０４は、開始終了点特定モジュール１０３の実行により特定されたデータ開始点及びデータ終了点における時間及び／又は両点間の移動距離に基づいて、利用者により原本識別エリア５１に記入されたストロークがタップであるか否かを判定する機能を有し、端末装置２５Ａにタップ判定手段４３を構成させるモジュールである。記入情報がタップ情報であるか否かの判定方法としては、上述のように、データ開始点の記入時刻からデータ終了点の記入時刻までの時間が予め設定された所定時間未満である場合にストロークがタップであると判定する方法（第１の方法）と、データ開始点とデータ終了点との間の移動距離が予め設定された所定距離未満である場合にストロークがタップであると判定する方法（第２の方法）とのいずれを採用してもよく、また、データ開始点とデータ終了点の時間及び両点間の移動距離の両方に条件を設定してもよい（第３の方法）。
【００５１】
音声出力モジュール１０５は、タップ判定モジュール１０４の実行により原本識別エリア５１へのタップが認識された場合、情報記憶手段４０に記憶された音声データ「正規の帳票です」を音声として出力させる機能を有し、端末装置２５Ａに音声出力手段４４を構成させるモジュールである。
【００５２】
[本情報処理システムによる処理フロー]
次に、本第１実施形態の情報処理システムにより行われる音声出力処理フローについて図６及び図９を参照して説明する。図９は、端末装置２５Ａにおける音声出力処理のフローチャートである。
【００５３】
利用者は、帳票３０が原本であるかコピーされたものであるかを確認するため、電子ペン１０Ａのペン先部１７により、帳票３０が有する原本識別エリア５１又は５２をタップする（★マークはタップを表す）。すると電子ペン１０Ａは、原本識別エリア５１への記入内容に対応する座標データ、ドットパターンアドレス、時間情報及び筆圧データを記入情報として端末装置２５Ａへ送信する。すると、端末装置２５Ａの記入情報取得手段４１は、電子ペン１０Ａから即時的且つ逐次的に記入情報を取得して情報記憶手段４０に記憶する（ステップＳ１）。ここで、即時的とは、電子ペン１０ＡがＸ，Ｙ座標データ等の記入情報を取得すると、その記入情報は即座に端末装置２５Ａへ送信され、端末装置２５Ａによって取得されることを意味し、また、逐次的とは、電子ペン１０ＡがＸ，Ｙ座標データ等の記入情報を連続的に取得している間、その記入情報は、次々に端末装置２５Ａへ送信され、端末装置２５Ａによって取得されることを意味している。
【００５４】
続いて、開始終了点特定手段４２は、記入情報取得手段４１によって取得された記入情報に含まれるストロークのデータ開始点及びデータ終了点それぞれにおける座標データ及び記入時刻を特定してタップ判定手段４３へ伝達する（ステップＳ２）。すると、タップ判定手段４３は、データ開始点及びデータ終了点における時間及び／又は両点間の移動距離に基づいて、原本識別エリア５１に記入されたストロークがタップであるか否かを判定する（ステップＳ３）。タップ判定手段４３によりタップであると判定されなかった場合（ステップＳ３；ノー）、ステップＳ１に戻り、ステップＳ１〜Ｓ３の処理を繰り返す。
【００５５】
一方、音声出力手段４４は、タップ判定手段４３によりタップであると判定された場合（ステップＳ３；イエス）、情報記憶手段４０に記憶された音声データ「正規の帳票です」を音声出力させる（ステップＳ４）。そして、端末装置２５Ａは、音声出力処理を終了する。
【００５６】
このように、利用者は、電子ペン１０Ａを使用して原本識別エリア５１又は５２をタップすることで、帳票３０が正規の原本であるか、不正にコピーされたものであるかを、端末装置２５Ａから出力される音声により容易に確認することができる。
【００５７】
[本情報処理システムによる作用効果]
この情報処理システムによれば、電子ペン１０Ａで原本識別エリア５１又は５２へ記入を行い、認識可能なドットパターンが印刷された原本識別エリア５１への記入の場合のみ、端末装置２５Ａが音声データ「正規の帳票です」を出力させることができる。換言すると、不正なコピーによりドットパターンがつぶれて認識不可能となった原本識別エリア５２への記入の場合、端末装置２５Ａは何らの音声も出力させない。これによれば、利用者は、帳票３０が有する原本識別エリア５１又は５２に電子ペン１０Ａで記入をすることで、容易に端末装置２５Ａが出力する音声により当該帳票３０が正規の原本であるか、不正にコピーされたものであるかを識別することが可能となる。
【００５８】
なお、上記第１実施形態は次のように構成させて変更することもできる。
【００５９】
例えば、電子ペン１０Ａのクロック２２は現在時刻を発信することとしているが、クロック２２は、端末装置２５Ａとの通信接続が確立した時点から通信接続状態が終了するまでの間、０から始まりストロークの記入中に経過していく記入時間を発信することとしてもよい。この場合、プロセッサ１１は、ストロークの記入中に、クロック２２が発信する経過時間（記入時間）を時間情報として取得し、その時間情報と、筆圧データと、ドットパターンアドレスと、Ｘ，Ｙ座標データとを関連付け、データ通信ユニット１３に対して記入情報として端末装置２５Ａへ送信させる。
【００６０】
また、上記第１実施形態では、原本識別エリア５１に対応付けられている所定の処理として、音声出力処理の例を示した。しかし、本発明はこれに限定されるものではなく、原本識別エリア５１に、端末装置２５Ａに付属するディスプレイや、プリンタ等への出力処理を対応付けることとしてもよい。この場合、利用者は、原本識別エリア５１又は５２を有する帳票３０が正規の原本であるか、不正にコピーされたものであるかを、端末装置２５Ａに付属するディスプレイによる画面表示又はプリンタからの印刷により識別できる。
【００６１】
＜第２実施形態＞
次に、第２実施形態について説明する。第２実施形態と第１実施形態とが同様の部分については同じ符号を付し、適宜説明を省略する。第２実施形態と第１実施形態とが異なる点は、第１実施形態の電子ペン１０Ａは、図２に示すようにクロック２２を備えていたが、第２実施形態の電子ペン１０Ｂ（１０）は、図１０に示すようにクロック２２を備えていない。この場合、プロセッサ１１は、利用者によって電子ペン１０Ｂを用いて記入が行われる間に、筆圧データ、ドットパターンアドレス及びＸ，Ｙ座標データを取得し、それらのデータを記入情報としてデータ通信ユニット１３により端末装置２５Ｂ（２５）へ送信する。その代わり、端末装置２５Ｂは、現在時刻を発信するクロックを備えており、記入情報取得手段４１によって、電子ペン１０Ｂから送信される記入情報を即時的且つ逐次的に取得し、取得時にクロックより発信された現在時刻を取得時刻として当該記入情報と関連付けて、情報記憶手段４０に記憶する。つまり、端末装置２５Ｂは、記入情報と、記入情報の取得時刻とを関連付けて記憶する。
【００６２】
続いて、第２実施形態の情報処理システムにより行われる音声出力処理フローについて図１１を参照して説明する。図１１は、端末装置２５Ｂにおける音声出力処理のフローチャートである。
【００６３】
利用者は、帳票３０が原本であるかコピーされたものであるかを確認するため、電子ペン１０Ｂのペン先部１７により、帳票３０が有する原本識別エリア５１又は５２をタップする（★マークはタップを表す）。すると電子ペン１０Ｂは、原本識別エリア５１への記入内容に対応する座標データ、ドットパターンアドレス、時間情報及び筆圧データを記入情報として端末装置２５Ｂへ送信する。すると、端末装置２５Ｂの記入情報取得手段４１は、電子ペン１０Ｂから即時的且つ逐次的に記入情報を取得し、当該記入情報が取得された時に端末装置２５Ｂのクロックにより発信された現在時刻の情報と関連付けて情報記憶手段４０に記憶していく（ステップＳ１１）。
【００６４】
続いて、開始終了点特定手段４２は、記入情報取得手段４１によって取得された記入情報に含まれるストロークのデータ開始点及びデータ終了点それぞれにおける座標データ及び記入時刻を特定してタップ判定手段４３へ伝達する（ステップＳ１２）。すると、タップ判定手段４３は、データ開始点及びデータ終了点における時間及び／又は両点間の移動距離に基づいて、原本識別エリア５１に記入されたストロークがタップであるか否かを判定する（ステップＳ１３）。タップ判定手段４３によりタップであると判定されなかった場合（ステップＳ１３；ノー）、ステップＳ１１に戻り、ステップＳ１１〜Ｓ１３の処理を繰り返す。
【００６５】
一方、音声出力手段４４は、タップ判定手段４３によりタップであると判定された場合（ステップＳ１３；イエス）、情報記憶手段４０に記憶された音声データ「正規の帳票です」を音声出力する（ステップＳ１４）。そして、端末装置２５Ａは、音声出力処理を終了する。
【００６６】
このように、第２実施形態によれば、端末装置２５Ｂは、電子ペン１０Ｂがクロックを備えていなくても、端末装置２５Ｂが備えるクロックを利用して、記入情報と、当該記入情報を電子ペン１０Ｂから取得した取得時刻とを関連付けて記憶するため、電子ペン１０Ｂを用いて原本識別エリア５１又は５２に所定の記入を行うことで、当該原本識別エリア５１又は５２を有する帳票３０が正規の原本であるか、不正にコピーされたものであるかを、端末装置２５Ｂから出力される音声により容易に確認することができる。
【００６７】
なお、上記第２実施形態において、端末装置２５Ｂのクロックを、電子ペン１０Ｂとの通信接続が確立した時点から通信接続状態が終了するまでの間、０から始まりストロークの記入中に経過していく記入時間（経過時間）を発信するようにしてもよい。
【００６８】
上述したように、上記第１実施形態及び第２実施形態によれば、利用者は、電子ペン１０を使用して原本識別エリア５１又は５２をタップすることで、帳票３０が正規の原本であるか、不正にコピーされたものであるかを、端末装置２５から出力される音声により容易に識別することができる。
【００６９】
なお、本発明は、上記第１及び第２実施形態に限られない。
【００７０】
例えば、電子ペン１０内に、ペン自体又はその所有者に関するプロパティ情報（ペン情報又はペン所有者情報）を保持しておき、端末装置２５から参照することができるようにしてもよいし、プロパティ情報の全部又は一部を記入情報と共に端末装置２５に送信するようにしてもよい。ペン情報としては、バッテリーレベル、ペンＩＤ、ペン製造者番号、ペンソフトウェアのバージョン、サブスクリプションプロバイダのＩＤ、空きメモリ容量などが挙げられる。また、ペン所有者情報としては、国籍、言語、タイムゾーン、emailアドレス、名称、住所、ファックス／電話番号、携帯電話番号などが挙げられる。
【００７１】
また、上記実施形態では、電子ペン１０が認識可能なドットは赤外線を吸収するカーボンを含むインキによるものとし、電子ペン１０のＬＥＤ１５を、赤外線を照射するＬＥＤとし、カメラ１６によって赤外線の反射量の差によって、電子ペン１０でドットパターンを読み取っていたが、これに限らない。例えば、電子ペン１０が認識可能なドットは所定波長の光によって所定波長を発光するインキによるものとし、電子ペン１０のＬＥＤ１５を、ドットのインキを発光させる光を照射するものとし、カメラ１６によってドットのインキが発光する波長の領域を検知することによって、電子ペン１０でドットパターンを読み取るようにしてもよく、カメラ１６によってドットパターンが読み取れれば、ドットのインキの種別やＬＥＤ１５の照射光等は上記実施形態で示したものに限られない。また、原本識別エリア５１における位置座標が特定できるものであれば、ドットパターンの代わりに、別のコード化されたパターン、例えば、２次元コードパターンなどであってもよい。
【産業上の利用可能性】
【００７２】
本発明は、設計図面、社内重要文書、印鑑登録証明書、住民票等の有価証券類、有料証明書、機密書類、金券、チケットなど、コピーを禁止する各種帳票に利用することができる。
【図面の簡単な説明】
【００７３】
【図１】電子ペンの使用形態を模式的に示す図である。
【図２】第１実施形態における電子ペンの構成を示すブロック図である。
【図３】原本識別エリアに印刷されたドットパターンによる情報の表現方法を説明する図である。
【図４】（ａ）は、ドットパターンを模式的に示し、（ｂ）はそれに対応する情報の例を示す図である。
【図５】（ａ）は原本識別エリアの前面構造を示し、（ｂ）及び（ｃ）は断面構造を示す図である。
【図６】第１実施形態における帳票の例である。
【図７】端末装置の主要な構成を示す機能ブロック図である。
【図８】第１実施形態における専用アプリケーションのモジュール構成図である。
【図９】第１実施形態における音声出力処理のフローチャートである。
【図１０】第２実施形態における電子ペンの構成を示すブロック図である。
【図１１】第２実施形態における音声出力処理のフローチャートである。
【符号の説明】
【００７４】
１０，１０Ａ，１０Ｂ…電子ペン、１１…プロセッサ、１３…データ通信ユニット、１４…バッテリー、１５…ＬＥＤ、１６…カメラ、１８…圧力センサ、２２…クロック、２５，２５Ａ，２５Ｂ…端末装置、３０…帳票、４０…情報記憶手段、４１…記入情報取得手段、４２…開始終了点特定手段、４３…タップ判定手段、４４…音声出力手段、５０…専用アプリケーション、５１，５２…原本識別エリア、５３…記入エリア
【図１】
2009193365.tif 000003
【図２】
2009193365.tif 000004
【図３】
2009193365.tif 000005
【図４】
2009193365.tif 000006
【図５】
2009193365.tif 000007
【図６】
2009193365.tif 000008
【図７】
2009193365.tif 000009
【図８】
2009193365.tif 000010
【図９】
2009193365.tif 000011
【図１０】
2009193365.tif 000012
【図１１】
2009193365.tif 000013